(57)【特許請求の範囲】
【請求項１】
合成樹脂製の蓋本体と金属製の蓋とを一体化してなり、前記蓋に設けた蒸気口に蒸気口セットを嵌合するとともに、該蒸気口の下面周囲に蒸気通路の上端を蒸気口パッキンを介して押し当てた炊飯ジャーの蒸気口構造において、前記蒸気通路の上端に前記蒸気口パッキンと蒸気口セットの間の間隔を塞ぐ通路端部を設けたことを特徴とする炊飯ジャーの蒸気口構造。
【請求項２】
前記通路端部を、蒸気通路から立ち上げ前記蒸気口周縁に接近させて形成し、その通路端部の幅を、前記蒸気口パッキンの内周から内方に突き出した蒸気口周縁の幅にほぼ等しい大きさに設定したことを特徴とする請求項１に記載の炊飯ジャーの蒸気口構造。
【請求項３】
前記通路端部を、蒸気通路から内方に延出させ前記蒸気口セットに接近させて形成したことを特徴とする請求項１に記載の炊飯ジャーの蒸気口構造。
【発明の詳細な説明】
【０００１】
【発明の属する技術分野】
この発明は、炊飯ジャーの蒸気口構造に関するものである。
【０００２】
【従来の技術】
炊飯ジャーの蓋セットには蒸気を排出するための蒸気口が設けられ、その蒸気口にはおねば除去のための蒸気口セットが着脱自在に嵌合される。蒸気口は、蓋セットの上面部分を構成する蓋に設けられ、その蒸気口の下面に蓋本体（蓋リングと称されることもある。）に設けた蒸気通路の上端を臨ませる構造がとられる。
【０００３】
前記の蓋セットを構成する蓋本体及び蓋は、通常は耐熱性の合成樹脂により形成されるが、業務用の炊飯ジャーにおいては、蓋本体を合成樹脂により形成する一方、耐久性の観点から蓋をステンレススチール等の金属により構成する場合が多い。
【０００４】
【発明が解決しようとする課題】
上記のように、蓋を金属製とした場合、その蓋に蒸気口を設けるとともに、その蒸気口に蒸気口セットを取付けた構造をとると、蒸気口の周縁部に蒸気が当たることがあるため、金属製であることから周縁部及びその近傍が加熱される。このため、使用者が蒸気口周辺に触れると熱く感じることがある。
【０００５】
そこで、この発明は、前述のような金属製の蓋に蒸気口を設けた場合において、使用者が蒸気口近傍に触れたとしても熱く感じることがないようにすることを課題とする。
【０００６】
【課題を解決するための手段】
上記の課題を解決するために、この発明は、合成樹脂製の蓋本体と金属製の蓋とを一体化してなり、前記蓋に設けた蒸気口に蒸気口セットを嵌合するとともに、該蒸気口の下面周囲に蒸気通路の上端を蒸気口パッキンを介して押し当てた炊飯ジャーの蒸気口構造において、前記蒸気通路の上端に前記蒸気口パッキンと蒸気口セットの間の間隔を塞ぐ通路端部を設けた構成とした。
【０００７】
上記の構成によると、蒸気口パッキンと蒸気口セットの間の間隔が通路端部により閉塞されるため、蒸気が蒸気口周縁部に接触することが避けられ、蒸気部周縁部の加熱を防止することができる。
【０００８】
また、前記通路端部を、蒸気通路から立ち上げ前記蒸気口周縁に接近させて形成し、その通路端部の幅を、前記蒸気口パッキンの内周から内方に突き出した蒸気口周縁の幅にほぼ等しい大きさに設定した構成を採ることができる。この構成によると、蒸気口パッキンと蒸気口セットの間の間隔が、所定幅の通路端部により閉塞され、蒸気の通過が阻止される。
【０００９】
その他の構成として、前記通路端部を、蒸気通路から内方に延出させ前記蒸気口セットに接近させて形成した構成を採ることもできる。この場合は、通路端部の内方への延出部分により蒸気の通過を阻止する。
【００１０】
【発明の実施形態】
以下、添付図面に基づいてこの発明の実施形態を説明する。図１に示すように、実施形態の炊飯ジャーは、ジャー本体１の後部に蓋セット２を開閉自在に取付けたものであり、蓋セット２には蒸気口セット３が取付けられる。また、蓋セット２の前部にフック解除ボタン４が設けられる。ジャー本体１の前面肩部に表示・操作パネル５が設けられる。また、図２に示すように、蓋セット２の内面に放熱板６がフック７により着脱自在に取付けられる。
【００１１】
前記の蓋セット２は、図３に示すように、合成樹脂製の蓋本体８と、ステンレススチール等の金属製の蓋９により構成される。蓋本体８には円筒状の蒸気通路１１が一体に設けられる。また、蓋９のほぼ中央部に蒸気口１２が設けられ（図４参照）、その蒸気口１２に前記の蒸気口セット３が着脱自在に嵌合される。
【００１２】
蒸気口セット３は、その外周面に蒸気口セットパッキン１４が装着され、これにより蒸気口セット３と蒸気口１２間をシールする。蒸気口セット３の内部は、その下端部の入口１５から上端の出口１６に至る間の通路１７がラビリンス構造となり、おねばを捕捉できるようになっている。
【００１３】
前記の蒸気通路１１の上端部には、図２、図４に示すように、内向きのつば１８が形成され、そのつば１８の上面に設けた環状のリブ１９に蒸気口パッキン２１を装着している。その蒸気口パッキン２１は、蓋９の蒸気口１２の内周部下面に押し当てられ、蓋９と蒸気通路１１上端部間をシールする。
【００１４】
蒸気口１２の内周縁は、蒸気口パッキン２１から内方に突き出しており、蒸気口パッキン２１からその内周縁までの間は幅ａ（図４（ａ）参照）の間隔が存在する。この幅ａの間隔が蒸気通路１１に対して開放されていると、蒸気が直接蒸気口１２の周縁部に接触するため、その部分が加熱される問題が生じる。これを解消するために、この発明においては、蒸気通路１１上端部のつば１８の内周部に、蒸気口パッキン２１の内周面に沿って上向きに立ち上がった通路端部２２を設け、その通路端部２２の上端面を蒸気口１２の周縁部に接近させている。その通路端部２２の幅ｂを前記の幅ａと同等か若干小さい幅に設定している。これにより前記の幅ａの部分が閉塞され、蒸気の侵入を防止し、蒸気口１２の周縁部の加熱を防止する。
【００１５】
上記の幅ａの間隔部分を閉塞するその他の手段として、図４（ｂ）に示すように、つば１８の内周部をさらに内方に延出した通路端部２２’を設け、その通路端部２２’を蒸気口セット３の周壁面に接近させた構成をとることもできる。このような構成をとると、通路端部２２’の部分が前記の幅ａの間隔を閉塞するため、前記の場合と同様に、蒸気の侵入を防止することができる。
【００１６】
【発明の効果】
以上のように、この発明によると、金属製の蓋に設けた蒸気口の周縁部下面が、蒸気通路に対して閉塞されているため、蒸気が直接金属製の蒸気口の周縁部下面に接触することが避けられる。これにより、使用者が蒸気口近傍に触れたとしても熱さを感じることはない。また、蒸気の接触を避ける構造として、蒸気口の周縁部下方に生じる間隔を蒸気通路上端部に設けた通路端部により閉塞する構成を採用したことにより、部品の増加を伴うことなく蒸気の接触を防ぐことができる。
【図面の簡単な説明】
【図１】実施形態の斜視図
【図２】同上の蓋セットの断面図
【図３】同上の蓋セットの分解斜視図
【図４】（ａ）同上の蓋セットの一部拡大断面図
（ｂ）同上の蓋セットの他の例の一部拡大断面図
【符号の説明】
１  ジャー本体
２  蓋セット
３  蒸気口セット
４  解除ボタン
５  表示・操作パネル
６  放熱板
７  フック
８  蓋本体
９  蓋
１１  蒸気通路
１２  蒸気口
１４  蒸気口セットパッキン
１５  入口
１６  出口
１７  通路
１８  つば
１９  リブ
２１  蒸気口パッキン
２２，２２’  通路端部
【図１】
0003606452.tif 000002
【図２】
0003606452.tif 000003
【図３】
0003606452.tif 000004
【図４】
0003606452.tif 000005